(57)【要約】【課題】  ケーブルを敷設するための貫通孔からケーブル敷設先内部への水の進入をより効果的に防ぐことができるケーブル敷設設備を提供する。【解決手段】  ケーブル敷設設備１は、ケーブル敷設室２０の縦壁２１の外側に設けられ、縦壁２１に設けられる貫通孔２１aを外部から密閉する電路箱２と、この電路箱２に接続されるダクト出口３ｂと、貫通孔２aより上方に設けられるダクト入口３aとを有するケーブルダクト３とを備え、外部からケーブルダクト３のダクト入口３aからダクト出口３ｂを通って、電路箱２内部を介し、貫通孔２１aからケーブル敷設室２０内部へケーブル３１を敷設する。【選択図】  図１
2012231634.tif 000002
【特許請求の範囲】
【請求項１】
ケーブル敷設室の縦壁の外側に設けられ、前記縦壁に形成される貫通孔を外部から密閉
する電路箱と、
この電路箱に接続されるダクト出口と、前記貫通孔より上方に設けられるダクト入口とを
有するケーブルダクトとを備え、
外部から前記ケーブルダクトの前記ダクト入口から前記ダクト出口を通って、前記電路箱
内部を介し、前記貫通孔から前記ケーブル敷設室内部へ前記ケーブルを敷設することを特
徴とするケーブル敷設設備。
【請求項２】
前記ケーブルダクトの前記ダクト入口は、前記ケーブル敷設室周囲の津波または高潮等
の想定水位より上方に設けられることを特徴とする請求項１に記載のケーブル敷設設備。
【請求項３】
前記ケーブルダクトは前記ケーブル敷設室の前記縦壁の外側に沿って固定されることを
特徴とする請求項１または請求項２に記載のケーブル敷設設備。
【請求項４】
ケーブル接続機器の筐体の外側に設けられ、前記筐体に形成される貫通孔を外部から密
閉する電路箱と、
この電路箱に接続されるダクト出口と、前記貫通孔より上方に設けられるダクト入口とを
有するケーブルダクトとを備え、
外部から前記ケーブルダクトの前記ダクト入口から前記ダクト出口を通って、前記電路箱
内部を介し、前記貫通孔から前記ケーブル接続機器に前記ケーブルを敷設し接続すること
を特徴とするケーブル敷設設備。
【請求項５】
前記ケーブルダクトの前記ダクト入口は、前記ケーブル接続機器周囲の津波または高潮
の想定水位より上方に設けられることを特徴とする請求項４に記載のケーブル敷設設備。
【請求項６】
２つの前記貫通孔に各々設けられた前記電路箱の前記ケーブルダクトの前記ダクト入口
を各々両端で接続する中間ダクトをさらに備えることを特徴とする請求項１乃至請求項５
の何れか一項に記載のケーブル敷設設備。
【請求項７】
２つの前記ケーブルダクト内部の何れか一方が浸水したときに、この一方の前記ケーブ
ルダクトの浸水水位よりも上方に他方の前記ケーブルダクトの前記ダクト入口を設けるこ
とによって、前記中間ダクトを伝って水が一方から他方の前記ケーブルダクトに浸水する
ことを防ぐことを特徴とする請求項６に記載のケーブル敷設設備。
【請求項８】
前記中間ダクトに開閉可能なメンテナンス用の開口部を設けたことを特徴とする請求項
６または請求項７に記載のケーブル敷設設備。
【請求項９】
前記電路箱近傍に設けられる端子台をさらに備え、
前記ケーブルは、前記端子台を介して敷設されること特徴とする請求項１乃至請求項８の
何れか一項に記載のケーブル敷設設備。
【請求項１０】
前記端子台の表面に耐水性のある絶縁部材を形成したことを特徴とする請求項９に記載
のケーブル敷設設備。
【請求項１１】
ケーブル敷設室の縦壁に形成された貫通孔を外側から密閉する電路箱を設ける工程と、
この電路箱にケーブルダクトのダクト出口を接続し、前記ケーブルダクトのダクト入口を
前記貫通孔より上方に設ける工程と、
前記ケーブルダクトの前記ダクト入口から前記ダクト出口を通り、前記電路箱内部を介し
て、前記貫通孔から前記ケーブル敷設室内部へ前記ケーブルを敷設する工程とを備えるこ
とを特徴とするケーブル施工方法。
【請求項１２】
ケーブル敷設室の縦壁に形成された貫通孔を外側から密閉する電路箱を設ける工程と、
この電路箱にケーブルダクトのダクト出口を接続し、前記ケーブルダクトのダクト入口を
前記貫通孔より上方に設ける工程と、
前記電路箱内部に端子台を設ける工程と、
既設の前記ケーブルのうち前記ケーブル敷設室から前記端子箱までの部位を前記端子台に
接続し、新たな前記ケーブルを前記ダクト入口から引き入れ前記端子台に接続する工程と
を備えることを特徴とするケーブル施工方法。 
【発明の詳細な説明】
【技術分野】
【０００１】
本発明は、ケーブルをケーブル敷設先へ敷設するケーブル敷設設備およびそれを用いた
ケーブル施工方法に関する。
【背景技術】
【０００２】
原子力発電所をはじめとする大規模な発電プラントでは、タービン建屋と原子炉建屋ま
たはボイラー建屋等とが離間して建設される。さらに発電プラントの補機やタンク、計測
制御機器等には建屋と離間して設けられるものがある。そして、互いに離間した建屋や補
機の相互の電気信号のやり取りや電力の供給を行うために、伝送ケーブルや電力ケーブル
が建屋や補機を相互に接続している。
【０００３】
このような相互に離間した補機または建屋から建屋へケーブルを引き込む方法として、
従来は、引き込み先の建屋に設けた貫通孔に水平にケーブルを引き込むことが一般的であ
った。
【０００４】
しかし、津波や高潮、洪水等によって補機や建屋の貫通孔まで水位が達したとき、この
貫通孔から水が浸入し、補機や建屋内部の機器に影響を与える可能性がある。そこで、建
屋の貫通孔内部にケーブルを収容するパイプ形状のダクトを嵌合して設け、貫通孔周囲か
らの浸水を防止する技術が開発されている（例えば、特許文献１参照。）。
【先行技術文献】
【特許文献】
【０００５】
【特許文献１】特公平６−２０３３７号公報
【発明の概要】
【発明が解決しようとする課題】
【０００６】
しかしながら、上述した特許文献１に記載の技術は、ケーブルの引出し元の機器の損傷
や、ダクトの破断または亀裂の発生によってダクト内部に水が浸入したとき、水がダクト
内部を伝い貫通孔を通って建屋内部に浸入する可能性がある。また、埋込管を必要とする
構造であるため、既設の貫通孔に追加施工するには困難な構造である。
【０００７】
そこで本発明は、ケーブルを敷設するための貫通孔からケーブル敷設先内部への水の進
入をより効果的に防ぐことができ、既設の貫通孔に対しても容易に施工できるケーブル敷
設設備の提供を目的とする。
【課題を解決するための手段】
【０００８】
上記目的を達成するために本発明のケーブル敷設設備は、ケーブル敷設室の縦壁の外側
に設けられ、縦壁に形成される貫通孔を外部から密閉する電路箱と、この電路箱に接続さ
れるダクト出口と、貫通孔より上方に設けられるダクト入口とを有するケーブルダクトと
を備え、外部からケーブルダクトのダクト入口からダクト出口を通って、電路箱内部を介
し、貫通孔からケーブル敷設室内部へケーブルを敷設することを特徴とする。
【０００９】
さらに、上記目的を達成するために本発明のケーブル敷設方法は、ケーブル敷設室の縦
壁に形成された貫通孔を外側から密閉する電路箱を設ける工程と、電路箱にケーブルダク
トのダクト出口を接続し、ケーブルダクトのダクト入口を貫通孔より上方に設ける工程と
、ケーブルダクトのダクト入口からダクト出口を通り、電路箱内部を介して、貫通孔から
ケーブル敷設室内部へケーブルを敷設する工程とを備えることを特徴とする。
【発明の効果】
【００１０】
本発明によれば、ケーブルを敷設するための貫通孔からケーブル敷設先内部への水の進
入をより効果的に防ぐことができる。
【図面の簡単な説明】
【００１１】
【図１】本発明の第１の実施形態に係るケーブル敷設設備の概略縦断面図。
【図２】本発明の第１の実施形態に係るケーブル敷設設備の変形例を示し、(a)はケーブルダクトを固定具によって固定する例を示す概略断面図、(ｂ)は電路箱を貫通孔に嵌合するパイプ形状とした例を示す概略断面図、(ｃ)は電路箱とケーブルダクトを一体化した例を示す概略断面図。
【図３】本発明の第２の実施形態に係るケーブル敷設設備の概略縦断面図。
【発明を実施するための形態】
【００１２】
以下、本発明の実施形態を説明する。
【００１３】
（第１の実施形態）
（構成）
以下、本発明の第１の実施形態に係るケーブル敷設設備について図１および図２を参照
して説明する。図１は、本発明の第１の実施形態に係るケーブル敷設設備の概略縦断面図
である。ケーブル敷設設備１は、電路箱２、１２と、ケーブルダクト３、１３と、中間ダ
クト４とから構成される。さらに、ケーブルダクト３、１３は、それぞれダクト入口３a
、１３aおよびダクト出口３ｂ、１３ｂを有する。
【００１４】
ここでケーブル敷設設備１が敷設するケーブル３１として、電気信号を伝達する計装制
御ケーブルや光信号を伝達する光ケーブル、電力を供給する電力ケーブルを挙げることが
できる。以下、ケーブル３１をケーブル接続機器２２からケーブル敷設室２０へ電気信号
を転送する計装制御ケーブルとし、ケーブル３１の引出し元をケーブル接続機器２２、ケ
ーブル３１の引込み先をケーブル敷設室２０として説明する。
【００１５】
まず、ケーブル敷設室２０に設けられる電路箱２およびケーブルダクト３について説明
する。ケーブル敷設室２０は地面４１から立設し、外側面として縦壁２１を有する。ケー
ブル敷設室２０は、内部にケーブル３１が敷設される部屋である。縦壁２１には、ケーブ
ル３１をケーブル敷設室２０内部に引き込むための縦壁貫通孔２１aが設けられる。
【００１６】
電路箱２は、一面に縦壁貫通孔２１aより大きな開口部を有する箱形状であり、さらに
開口部の淵はフランジ形状である。電路箱２の開口部によって縦壁貫通孔２１aを外側か
ら覆い、電路箱２のフランジ形状を縦壁２１に沿わせて電路箱２を配置する。電路箱２の
フランジ形状をアンカー６によって縦壁２１に固定し、さらに縦壁２１と電路箱２の接す
る継ぎ目をセメントや防水パテ等によってシーリングを施し、縦壁貫通孔２１aを外部か
ら密閉する水密性を確保する。
【００１７】
ケーブルダクト３は、筒形状の長手方向を該垂直にして配置され、内部にケーブル３１
を収容するダクトである。また、ケーブルダクト３の筒形状の一端であるケーブル出口３
ｂが電路箱２に開放して設けられる。さらに、ケーブルダクト３の筒形状の他端であるケ
ーブル入口３aは、貫通孔１１aより上方であって後述する津波や水没想定水位より上方に
設けられる。
【００１８】
次に、ケーブル接続機器２２に設けられる電路箱１２およびケーブルダクト１３につい
て説明する。ケーブル接続機器２２は、ケーブル敷設室２０の周囲に離間して設けられ、
ケーブル３１が接続される機器である。ケーブル接続機器２２は、筐体２３に収容される
。筐体２３には、ケーブル接続機器２２からケーブル３１を引出す筐体貫通孔２３aが設
けられる。さらに筐体２３は、ケーブル接続機器２２を外部から密閉することが望ましい
。
【００１９】
電路箱１２は、一面に筐体貫通孔２３aより大きな開口部を有する箱形状であり、さら
に開口部の淵はフランジ形状である。電路箱１２の開口部によって筐体貫通孔２３aを外
側から覆い、電路箱１２のフランジ形状を筐体２３に沿わせて電路箱１２を配置する。電
路箱１２のフランジ形状をアンカー６によって筐体２３に固定し、さらに筐体２３と電路
箱２の接する継ぎ目をセメントや防水パテ等によってシーリングを施し、筐体貫通孔２３
aを外部から密閉する水密性を確保する。
【００２０】
ケーブルダクト１３は、筒形状の長手方向を該垂直にして設けられ、ケーブル出口１３
ｂが電路箱１２に開放して設けられる。また、ケーブル入口１３aは、貫通孔２３aより上
方であって後述する津波想定水位より上方に設けられる。
【００２１】
さらに、中間ダクト４について説明する。中間ダクト４は、中腹部の筒形状の長手方向
を水平にして配置され、さらに両端をそれぞれケーブル入口３a、１３aに嵌合し接続する
ことができる形状である。
【００２２】
上述したケーブル敷設室２０およびケーブル接続機器２２に各々電路箱２、１２および
ケーブルダクト３、１３を設けた状態で、中間ダクト４の両端をそれぞれダクト入口３a
、１３aに嵌合させて接続する。このとき、ケーブル接続機器２２の筐体２３内部からケ
ーブル敷設室２０内部までが一体として密閉された構造となる。さらに、中間ダクト４に
開閉可能なメンテナンス用の開口部を設けてもよい。
【００２３】
最後に、ケーブル３１の敷設方法について説明する。ケーブル３１は、一端がケーブル
接続機器２２に接続され、筐体貫通孔２３aから引出され、電路箱１２内部を介して、ケ
ーブルダクト１３のケーブル出口１３ｂを通ってケーブル入口１３aから引出され、中間
ダクト４内部を通る。さらにケーブル３１は、中間ダクト４からケーブルダクト３のケー
ブル入口３aへ引き込まれ、ケーブル出口３aを通って電路箱２内部を介して、縦壁貫通孔
２１aからケーブル敷設室２０内部へ引き込まれる。
【００２４】
さらに図１に示すように、ケーブル敷設設備１内部でケーブル３１を案内するトレイ３
２を設け、このトレイ３２にケーブル３１を収容してもよい。
【００２５】
ケーブル３１の敷設は、ケーブル敷設設備１をケーブル敷設室２０およびケーブル接続
機器２２へ取付けた後に行ってもよいし、ケーブル敷設設備１の内部にケーブル３１を収
容した状態で縦壁２１およびケーブル接続機器２２の筐体２３に取り付けてもよい。
【００２６】
（作用）
以下、本発明の第１の実施形態の作用について説明する。水位４２は、津波や洪水、高
潮等によってケーブル敷設室２０およびケーブル接続機器２２の周囲に存在すると想定さ
れる水の高さである。水位４２が縦壁貫通孔２１aおよび筐体貫通孔２３aより上方であっ
てダクト入口３a、１３aより下方であるときの作用、水位４２がダクト入口３a、１３aの
高さより上方であるときの作用について説明する。
【００２７】
まず、水位４２が縦壁貫通孔２１aおよび筐体貫通孔２３aより上方であってダクト入口
３a、１３aより下方であるときの作用について説明する。このとき、縦壁貫通孔２１aお
よび筐体貫通孔２３aはそれぞれ電路箱２、１２によって外部から密閉され、水位４２よ
り上方のダクト入口３a、１３aまでが一体として内部が密閉されているため、縦壁貫通孔
２１aおよび筐体貫通孔２３aへの水の浸入を防ぐことができる。
【００２８】
また、ケーブル敷設室２０内部またはケーブル接続機器２２内部の何れかに水が浸入す
ることによって、ケーブルダクト３、１３内部の何れか一方が浸水したとき、他方のケー
ブルダクト３、１３のダクト入口３a、３ｂを一方の浸水水位より上方に設けることによ
って、中間ダクト４を伝って他方の電路箱２、１２に浸水することを防ぐことができる。
【００２９】
なお中間ダクト４を省き、ダクト入口３a、１３ａを大気開放する構成としても、水位
４２がダクト入口３a、１３ａの高さを下回るときには縦壁貫通孔２１aおよび筐体貫通孔
２３aからの水の浸入を防ぐことができる。
【００３０】
さらに、ダクト入口３a、１３ａをそれぞれ津波想定水位より上方に設けることによっ
て、水位４２が津波想定水位まで達したときに、それぞれダクト入口３a、１３ａからの
水の浸入を防ぐことができる。津波想定水位は、発電プラントが建設される地域の海抜か
らの値と、ケーブル敷設室２０およびケーブル接続機器２２の各々が設置される地点の高
さに基づいて、ケーブル敷設室２０およびケーブル接続機器２２の各々の地面４１からの
高さとして算出する。なお、津波想定水位に変えて高潮や洪水による水没の想定水位より
上方にダクト入口３a、１３ａを設けてもよい。
【００３１】
次に、水位４２がダクト入口３a、１３aの高さより上方であるときの作用について説明
する。このとき、ケーブル敷設設備１内部は一体に外部から密閉されているため、ケーブ
ル敷設設備１内に水が浸入することを防ぐことができる。また、上述したようにケーブル
ダクト３、１３の何れか一方が浸水したきにおいても、他方のケーブルダクト３、１３の
ダクト入口３a、１３ａを一方の浸水水位より上方に設けることによって、中間ダクト４
を伝って他方の電路箱２、１２に浸水することを防ぐことができる。
【００３２】
なお、本実施形態は、以下の変形が可能である。図２は、本発明の第１の実施形態に係
るケーブル敷設設備の変形例を示し、(a)はケーブルダクトを固定具によって固定する例
を示す概略断面図、(ｂ)は電路箱を貫通孔に嵌合するパイプ形状とした例を示す概略断面
図、(ｃ)は電路箱とケーブルダクトを一体化した例を示す概略断面図である。
【００３３】
図２(a)では、ケーブルダクト３を縦壁２１に沿って上方へ伸ばし、固定具７によって
ケーブルダクト３を縦壁２１に固定する。このとき、ケーブルダクト３が津波や高潮の力
によって押し流されることを防止することができる。
【００３４】
図２(ｂ)では、電路箱２を縦壁２１の縦壁貫通孔２１aの径に一致したパイプ形状とし
、パイプ形状を縦壁貫通孔２１a内部に嵌合または埋設させ、縦壁貫通孔２１aの周囲をセ
メントや防水パテ等で密封する。このとき、ケーブル敷設室２０内部でケーブル３１を案
内するパイプと電路箱２を共用させることができる。
【００３５】
図２(ｃ)では、電路箱２を縦壁２１の縦壁貫通孔２１aの径に一致したパイプ形状とし
、さらにパイプ形状を縦壁２１の外側で上方に湾曲させて伸ばしケーブルダクト３を構成
する。このとき、電路箱２とケーブルダクト３を一体化することができ、製作コストを削
減するとともに密閉性を高めることができる。
【００３６】
（効果）
本発明の第１の実施形態によれば、ケーブル敷設室２０の縦壁貫通孔２１aおよびケー
ブル接続機器２２の筐体貫通孔２３aにそれぞれ電路箱２、１２を設け、電路箱２、１２
からそれぞれ上方に伸ばしたケーブルダクト３、１３からケーブル３１を引き込み敷設す
ることによって、ケーブル敷設室２０およびケーブル接続機器２２内部への水の進入を防
ぐことができる。
【００３７】
さらに、ケーブル敷設室２０とケーブル接続機器２２とを繋ぐケーブル３１の水平部分
が津波想定水位より上方の中間ダクト４内部を通るため、津波や洪水の力によってケーブ
ル３１が押し流されることを防ぐことができる。
【００３８】
なお、本実施形態はケーブル接続機器２２からケーブル敷設室２０へケーブル３１を引
き込む場合に限られず、ケーブル敷設室２０からケーブル接続機器２２へのケーブル３１
の引き込みや、ケーブル接続機器２２同士、ケーブル敷設室２０同士のケーブル３１の引
き込みまたは引出しに適用することができる。さらにケーブル敷設室２０またはケーブル
接続機器２２の一方が高台に設置されるなど、縦壁貫通孔２１aまたは筐体貫通孔２３aの
高さを十分に津波想定水位より上方に設けることができる場合などは、この一方について
電路箱２、１２やケーブルダクト３、１３を省くことができる。このとき他方のケーブル
ダクト３、１３のダクト入口３aは大気開放とする。
【００３９】
さらに、ケーブル敷設室２０は、図１に示す建屋の外壁に適用するだけでなく、建屋内
壁の貫通部に適用することもできる。このとき、ケーブル敷設設備１は建屋内部のケーブ
ル敷設室２０同士のケーブル３１を敷設し、建屋内部の一方のケーブル敷設室２０が浸水
したときに他方のケーブル敷設室２０が浸水することを防ぐことができる。
【００４０】
（第２の実施形態）
（構成）
以下、本発明の第２の実施形態に係るダクトについて図３を参照して説明する。第１の
実施形態に係るダクトの各部と同一部分には同一符号を付し、同一の構成についての説明
は省略する。
【００４１】
図３は、本発明の第２の実施形態に係るケーブル敷設設備の概略断面図である。第２の
実施形態が第１の実施形態と異なる点は、電路箱２、１２の内部にそれぞれ端子台５、１
５を新たに設けた点である。
【００４２】
さらにケーブル３１は、ケーブル敷設室２０内部から電路箱２内部までの部位と、電路
箱２内部からケーブルダクト３および中間ダクト４ならびにケーブルダクト１３を通る部
位と、電路箱１２内部からケーブル接続機器２２までの部位に分割される。
【００４３】
ケーブル３１のうちケーブル敷設室２０内部から電路箱２内部までの部位と、電路箱２
内部からケーブルダクト３および中間ダクト４ならびにケーブルダクト１３を通る部位は
、端子台５によって接続される。ケーブル３１のうち電路箱２内部からケーブルダクト３
および中間ダクト４ならびにケーブルダクト１３を通る部位と、電路箱１２内部からケー
ブル接続機器２２までの部位は、端子台１５によって接続される。したがってケーブル３
１は、端子台５、１５を介して上述した電気信号の伝達や電力の供給等を行う。
【００４４】
（作用）
以下、本発明の第２の実施形態の作用について説明する。筐体貫通孔２３aからケーブ
ル３１が水平に引出され、水平にケーブル３１が縦壁貫通孔２１aへ引き込まれるように
既設のケーブル３１が敷設されている状態において、ケーブル敷設設備１によるケーブル
３１の敷設を適用する場合について説明する。
【００４５】
この場合、筐体貫通孔２３aから水平に引出された既設のケーブル３１を電路箱１２の
内部に位置する部分で切断し、切断した端部を端子台１５に接続する。同様に、水平に縦
壁貫通孔２１aへ引き込まれる既設のケーブル３１を電路箱２の内部に位置する部分で切
断し、切断した端部を端子台５に接続する。さらに、ケーブル敷設設備１の内部に収容さ
れる新たなケーブル３１の両端をそれぞれ端子台５、１５に接続する。
【００４６】
なお、端子台５、１５は電路箱２、１２の内部だけでなく、縦壁２１の内側等の電路箱
２、１２の近傍であれば同様の作用を発揮することができる。さらに、端子台５、１５の
表面に耐水性のある絶縁部材を形成することによって、端子台５、１５の何れかに浸水し
たときにおいても端子台５、１５がショート、短絡することを防ぎ、信頼性を高めること
ができる。
【００４７】
（効果）
本発明の第２の実施形態によれば、既設のケーブル３１が敷設されているプラントに敷
設設備１を設けるときに、端子台５、１５によって既設のケーブル３１のうちそのまま利
用できる部分を接続することによって、既設のケーブル３１が敷設されている状態で新た
なケーブル３１の敷設部分を削減することができる。
【００４８】
また、ケーブルダクト３のダクト入口３aの高さを変更するときや、ケーブル敷設設備
１内部のケーブル３１を取り替えるときなどは、該当部分のケーブル３１のみを取り替え
、端子台５、１５に接続することによってケーブル敷設室２０からケーブル接続機器２２
までの全てのケーブル３１の交換が不要となる。
【００４９】
なお、本発明の実施形態は上述した実施形態に限られないことは言うまでもない。例え
ば、ケーブルダクト３、１３の形状は長手方向を該垂直にした筒形状とするだけでなく、
プラントの建屋の壁面に沿って一部を湾曲、屈折した形状とすることや、複数のプラント
接続機器２２からケーブル３１を引き込むためにケーブルダクト３を分岐、合流した形状
とすることができる。
【００５０】
さらに、縦壁貫通孔２１aや筐体貫通孔２３a、ダクト入口３a、１３aの高さは津波想定
水位によって適宜変更され得るものである。なお、上述した第１および第２の実施形態は
適宜組み合わせることができる。
【符号の説明】
【００５１】
１・・・ケーブル敷設設備
２、１２・・・電路箱
３、１３・・・ケーブルダクト
３a、１３a・・・ダクト入口
３ｂ、１３ｂ・・・ダクト出口
４・・・中間ダクト
５・・・端子台
６・・・アンカー
７・・・固定具
２０・・・ケーブル敷設室
２１・・・縦壁
２１a・・・縦壁貫通孔
２２・・・ケーブル接続機器
２３・・・ケーブル接続機器筐体
２３a・・・筐体貫通孔
３１・・・ケーブル
３２・・・トレイ
４１・・・地面
４２・・・水位 
【図１】
2012231634.tif 000003
【図２】
2012231634.tif 000004
【図３】
2012231634.tif 000005